(57)【要約】【課題】琉球三味線は、今から凡そ５００年前、屋嘉比朝寄という人が中国の楽譜「工尺四」を参考に、琉球王朝文化の古典音楽（１１７曲）を記録表記した事に始まる。しかし、琉球の庶民文化遺産である、貴重な琉球民謡は、記録保存された事は皆無であった。そこで今から４３年前（１９６４年）琉球政府文化財保護委員会の勧めで、私は各地方に存在する８００曲余の民謡を採譜し出版しました。だが、昔ながらの漢文による表示表記や演奏は、難しく理解しがたいとの声が多かった。そこで、もっと分りやすく学びやすい、表示、表記、理解学習方法は無いものかと、思案熟考した末、私が発明考案したのが「三線数字楽譜」である。【解決手段】私が発明した、アラビア数字を活用した数字楽譜は、従来の漢字楽譜が有していた問題を解決するため、アラビア数字の、０から８までの数字の組み合わせによる、単純で簡単明快な表示、表現で、言語、国籍を問わず、誰もが覚えやすく親しめる現代のコンピューター時代に相応しい新しい楽譜である。【選択図】図１
2007017920.tif 000002
【特許請求の範囲】
【請求項１】
三味線の３本の絃に対応する３本の平行線からなる三線数字楽譜を表示して、下側の第一線を三味線の第一絃（男絃）からなる三線数字樂譜を対応させ、真ん中の第二線を三線数字譜の第二絃（中絃）に対応させ、上側の第三線を数字三線譜の第三絃（女絃）に対応させ、絃を押す各指を数字で表現し、前期数字三線譜の三味線の各絃に対応するそれぞれの線上に、三味線のそれぞれの絃を押すべき指を前期の数字で表示してなることを特徴とする三味線用の三線数字楽譜。
【請求項２】
前記の三線数字樂譜を構成する３本の線を左右方向に表示し、三味線のそれぞれの絃
2007017920.tif 000016
線用の三線数字楽譜。
【請求項３】
３本の平行線からなる三線譜を表示して、前記３本の平行線で、三味線の第二絃（中絃）における音階を表示し、前記三本の平行線領域より下側の領域で、三味線の第一絃（男絃）における音階を示し、前記３本の平行線の領域より上側の領域で、三味線の第三絃（女絃）における音階を表示し、それぞれの絃を押す各指を数字で表現し、それぞれの領域における各音階の位置に、三味線のそれぞれの絃を押すべき指を前記の数字で表示してなるなることを特徴とする三味線用の三線数字楽譜。
【請求項４】
前記３本の平行線の領域より下側の領域には、下第１線を、前記３本の平行線と平行
2007017920.tif 000017
ることを特徴とする請求項３記載の三味線用の三線数字楽譜。
※琉球三線では原則として、薬指３は使用しない。
【発明の詳細な説明】
【技術分野】
【０００１】琉球三味線は、中国の楽譜「工尺四」を参考に編み出された「工工四」と呼ばれている琉球独特の楽譜である。
【背景技術】
【０００２】図３は、琉球三味線における指の押さえ位置を示す勘所図であり、第一絃（男弦）、２は第２絃（中絃）、３は第三絃（女弦）、である。そして、図の上側が絃巻き側下側が胴側である。【０００３】そして、第一絃の開放絃を「合」で、第二絃の開放弦を「四」で、第三絃の開放弦を「工」で、それぞれ表示する。【０００４】また、第一絃において、人差し指を押すべき位置を「▲１▼」で、中指で押すべき位置を「▲２▼」で、小指で押すべき位置を「▲４▼」でそれぞれ表示する。【０００５】第二絃においては、人差し指を押すべき位置を「▲１▼」で、中指で押すべき位置を「▲２▼」で、小指で押すべき位置を「▲４▼」でそれぞれ表示する。【０００６】第三絃においては、人差し指を押すべき位置を「▲１▼」中指で押すべき位置を「▲２▼」で、小指で押すべき位置を「▲４▼」でそれぞれ表示する。【０００７】図３のように、琉球三線の各絃を押す、それぞれの指と押すべき位置が「合、乙、老、下老、四、上、中、尺、工、五…  …  …」などの漢字で表示される
がが、琉球三線用楽譜では、「工工四」と呼ばれ、前記の「合、乙、老、下老、四、上、中、尺、工、五…  …  …」などの漢字が経時列で表示され、その横に声楽用の歌詞が表示されている。このように、琉球三味線の楽譜は、漢字で表示表現されているため、初心者や漢字の読めない外国人にとっては、理解するのが困難であり、抵抗が強い。
【発明の開示】
【発明が解決しようとする課題】
【０００８】近年、学校教育においても、琉球三味線が取り入れられているが、前記の古来からの琉球三味線の楽譜である「工工四」では、練習効果が現れる前に挫折する恐れがあり、琉球三味線の普及に支障がきている。
【課題を解決するための手段】
【０００９】本発明の技術的課題は、このような課題に着目し、琉球三味線用の楽譜を考案し、符号も加え、指を押すべき位置や勘所を、迅速かつ分り易いように、初心者や外国人にも練習効果の向上を実現することにある。【００１０】本発明の技術的は次のような手段によって解決される。請求項１は三味線用の楽譜であり、三味線用の三本の絃に対応する三本の平行線からなる三線譜を表示して、下側の第一線を三味線の第一絃に対応させ、真ん中の第二線を三味線の第二絃に対応させ、上側の第三線を三味線の第三絃に対応させる。そして、絃を押す各指や勘所を数字で表現し、前記三線譜の三味線の各絃に対応するそれぞれの線上に、三線譜のそれぞれの絃を押すべき指を前記の数字で表示してなる構成を採っている。【００１１】このように、実際の三線譜の各絃に対応する三本の線の上に、絃を押すべき指や壺所を数字で指定して表示するので、指で押すべき絃や指位置が一目で視覚的に判断でき、特に初心者や外国人にも簡単に理解できる。【００１２】請求項２は、請求項１の三線譜を構成する三本の線を左右方向に表示し、三味
2007017920.tif 000003
してなる三味線用の楽譜である。【００１３】
2007017920.tif 000004
実に指を判別できる。【００１４】請求項３の三味線用楽譜は、三本の平行線からなる三線譜を表示して、前記三本の平行線の領域▲２▼０で、三味線の第二絃における音階を表示し、前記三本の平行線の領域より下側の領域▲１▼０で、三味線の第一絃における音階を表示し、前記三本の平行線の領域を▲２▼０より上側の領域▲３▼０で、三味線の第三絃における音階を表示する。そして、それぞれの絃を押す各指や勘所を数字で表現し、それぞれの絃を押すべき各指を前記の数字で表示してある。【００１５】このように、三本の平行線で洋楽の五線譜とおなじよう音階を大体表現できるので、下側の線が音程が低く、上側の線が音程が高いことを理解でき、一目で容易に音階を理解できる。しかも、各弦や壺所を押すべき指を、数字で表示できるので、指の判別も容易である。【００１６】請求項４は、請求項３の三本の平行線の領域より下側の領域には、下第１線、前記の三本の平行線と平行な横線で表示し、前記の三本の平行な横線で表示してある。【００１７】
2007017920.tif 000005
れ表現してある。【００１８】このように、第一絃に対応する平行線の下側の領域では、下第一線を表紙できる
2007017920.tif 000006
るので、容易にかつ確実に判断できる。【００１９】次に本発明による三味線用の楽譜が実際上どのように具体化されるか実施形態を説明する。図１は本発明の第一実施形態を示す図である。【００２０】図１において、三本線ａ、ｂ、ｃは、互いに平行にしかも一定の間隔をおいて、左右方向に（横方向）に引かれている。下側から第一番目の横線ａは、図１における三味線の第一絃（男絃）▲１▼０に対応しており、下側からた第二番目の横線ｂは、三味線の第二絃（中）▲２▼０に対応しており、下側からから第三番目の横線ｃは、三味線の第三絃（女絃）▲３▼０にそれぞれ対応している。【００２１】これら３本の平行線ａ、ｂ、ｃを利用して、洋楽における五線譜と同様に、大体の音階や音の長さを表示することができる。音程は、通常第一絃が最も低く、第三絃が最も高く、第二絃はその中間の音程となるので、各絃に対応する線ａ、ｂ、ｃは、音程にほぼ対応している。したがって、一目で、音程が大体理解できる。【００２２】三本の平行線ａ、ｂ、ｃは、三味線の各絃をイメージできるように、実際の三味線の各絃のさに対応させて、第１線ａを太く、第３線ｃを細く、第２線ｂは中間の太さにそれぞれ表示すると、初心者や外国人にとって、より早く理解できる。【００２３】
2007017920.tif 000007
れているが、これらの数字は指を指示している。三味線の場合、各指によって、
2007017920.tif 000008
、各指を指示するほか、それぞれの絃における位置も同時に指定される。【００２４】前記の数字は、次のように各指を指示している。
2007017920.tif 000009
【００２５】この実施形態における音階は、図１の勘所における第一絃の「▲１▼０、▲１▼１、▲１▼２、▲１▼３、▲１▼４、▲１▼５、▲１▼６、▲１▼７、▲１▼８」に対応し「て第二弦の「▲２▼０、▲２▼１、▲２▼２、▲２▼３、▲２▼４、▲２▼５、▲２▼６、▲２▼７、▲２▼８」に対応し第三弦における「▲３▼０、▲３▼１、▲３▼２、▲３▼３、▲３▼４、▲３▼５、▲３▼６、▲３▼７、▲３▼８」に対応しそれぞれ表示させている。【００２６】すなわち、第一番目の音から第九番目までは、第一絃に対応する第一番目の線ａ上
2007017920.tif 000010
第一絃において、「開放弦、人差し指、中指、小指、小指、小指、人差し指、中指、小指」の順に押すことを示している。【００２７】同様に、第二番目の音から九番目までは、第二絃に対応する第二番目の線のｂ上に
2007017920.tif 000011
二弦において、「開放弦、人差し指、中指、小指、小指、小指、人差し指、中指、小指」の順に押すことをを示している。【００２８】また、第１番目の音から第９番目までは、第三絃に対応する第三番目の線ｃ上に
2007017920.tif 000012
三絃において、「開放弦、人差し指、中指、小指、小指、小指、人差し指、中指、小指」の順に押すことを示している。【００２９】このように、実際の三味線における各絃をイメージさせる三本の平行線ａ、ｂ、ｃ
2007017920.tif 000013
ため、押すべき絃や指を直ちに理解できる。【００３０】異なる絃については、下側の線ａが最も音程の低い第一絃に対応し、上側の線ｃが、最も音程の高い第三絃に対応し、また真中の線ｂが、中間の音程の第二絃にそれぞれ対応している。したがって、五線譜ほど正確ではないが、大体において上側ほど音程が高くなることが一目で理解できる。【００３１】なお、三線数字樂譜の上側または下側に歌詞も表示しておくと、五線譜の場合と全く同じ感覚で、歌詞にあわせて三味線を演奏でき、かつそれぞれの発声の音程や長さも三線数字樂譜によって一目で理解できる。【００３２】図３は、在来の「工工四」による沖縄の民謡曲である「祝い節」の一部を実施した例である。【００３３】すなわち、第２番目の音は、第二絃に対応する線ｂ上「▲２▼０」が表示されているので、工工四の「四」に対応し、「第二絃を開放した状態で弾く」ことを表している。【００３４】また、第３番目の音は、第３絃に対応する線ｃ上に「▲３▼０」が表示されているので、工工四の「工」に対応し、「第三絃を開放した状態で弾く」ことを表している。【００３５】また、第一番目の音は、第一絃に対応する弦ａ上に「▲１▼０」が表示されるので、工工四の「合」に対応し、「第一絃を開放した状態で弾く」ことを表している。【００３６】以上のように、図１から図３の楽譜は、三本の平行線ａ、ｂ、ｃが直接三味線の三本の絃を表示しているので、楽譜の内容が一目で直ちに理解できる。
【発明の効果】
【００３７】請求項１のように、実際の三味線の各絃に対応する三本の線の上に、絃を押すべき指や勘所を数字で指定して表示するので、指で押すべき絃や指定位置が一目で視覚的に判別でき、特に初心者や外国人の練習に適している。【００３８】
2007017920.tif 000014
と、０、１、２、３、４、５、６、７、８の勘所を数字で行われていているので、容易にかつ確実に指の指定や勘所を判別指定できる。【００３９】請求項３によると、三本の平行線で洋楽の五線譜と同じように大体の表現できるので、紙面の下側が音程が低く、紙面の上側が音程が高いことを理解でき、初心者や外国人でも一目で容易に音階を理解できる。しかも、各絃を押すべき指を、数字で表示できるので、指の指定や勘所の判別が容易である。【００４０】請求項４によると、第二弦に対応する三本の平行線の下側と上側との領域では、下第１線、上第３線を表示できるので、第一弦、第三絃の音階も、第二絃と同様
2007017920.tif 000015
３、４、５、６、７、８までのアラビア数子の組み合わせのみの簡単で明瞭で行われるので、容易にかつ確実に、初心者や外国人でも習得できる。従来の「工工四」楽譜に比べ、三線音楽の普及発展に役立つと確信している。【００４１】そのほか、請求項１から請求項４の各発明に共通する特徴として、音階を視覚的に容易に把握できるので、楽曲の傾向や特徴などを比較したり研究するのにも便利である。
【図面の簡単な説明】
【００４２】
【図１】  本発明の第一実施形態の勘所を示す図である。
【図２】  図１の実施形態を、沖縄の民謡である「祝い節」に実施した例。
【図３】  琉球三味線における指の押さえる位置を示す勘所図である。
【図４】  図３の実施形態を、沖縄の民謡である「祝い節」に実施した例。
【図５】  絃樂記号の図である。
【図１】
2007017920.tif 000018
【図２】
2007017920.tif 000019
【図３】
2007017920.tif 000020
【図４】
2007017920.tif 000021
【図５】
2007017920.tif 000022